(57)【要約】【課題】防水パンの設置面への設置や、防水パンの高さ調節や水平出しを容易に行うことができる防水パンの支持脚を提供する。【解決手段】防水パン２の下面部に設けたボルト軸螺合部に螺合可能なアジャスタボルト４を備える。アジャスタボルト４の頭部５と設置面３の間に介在させる防振材７を備える。防振材７はアジャスタボルト４の頭部５を載置するための上板９を備える。防振材７は上板９の下面に固着した防振用の弾性体１０を備える。防振材７の上板９とアジャスタボルト４の頭部５を着脱自在に連結する連結具８を備える。【選択図】図１
2009079383.tif 000002
【特許請求の範囲】
【請求項１】
防水パンの下面部に設けたボルト軸螺合部に螺合可能なアジャスタボルトと、該アジャスタボルトの頭部と設置面の間に介在させる防振材を備え、防振材は、アジャスタボルトの頭部を載置するための上板と、上板の下面に固着した防振用の弾性体を備え、防振材の上板とアジャスタボルトの頭部を着脱自在に連結する連結具を備えて成ることを特徴とする防水パンの支持脚。
【請求項２】
上記連結具は断面略横Ｕ字状のクリップ板からなり、該クリップ板の下片部に下片部の先端縁から開口する下切欠を形成すると共に上片部に上片部の先端縁から開口する上切欠を形成し、上記上板の外周部を弾性体よりも外側に突出して被弾接部を形成し、前記クリップ板の下切欠及び上切欠の夫々に防振材の弾性体及びアジャスタボルトのボルト軸を挿通し、該クリップ板の上片部をアジャスタボルトの頭部の上面に弾接すると共に下片部を前記上板の被弾接部の下面に弾接することで、防振材の上板とアジャスタボルトの頭部を着脱自在に連結することを特徴とする請求項１に記載の防水パンの支持脚。
【請求項３】
上記クリップ板に索を取り付けて成ることを特徴とする請求項２に記載の防水パンの支持脚。
【発明の詳細な説明】
【技術分野】
【０００１】
本発明は防振機能を備えた防水パンの支持脚に関する。
【背景技術】
【０００２】
従来、浴室の床を構成する防水パンの支持脚には防振機能を備えたものがある（例えば特許文献１）。図４に従来の防振機能を有する支持脚の一例を示す。この支持脚は、アジャスタボルト４と、該アジャスタボルト４の頭部５に設けた防振材７とで構成してある。アジャスタボルト４は防水パンの下面部に設けたボルト軸螺合部に螺合可能なものであって、ボルト軸螺合部への螺合深さを調節することで防水パンの高さ調節や水平出しを行えるようになっている。防振材７は防振用の弾性体１０の上下面に上板９及び下板１１を固着したものであり、上板９の上面にはアジャスタボルト４の頭部５を溶接している。
【０００３】
上記支持脚を取り付けた防水パンを設置するには防振材７の下板を設置面上に載置することにより、アジャスタボルト４の頭部５を設置面上に防振材７を介して載置する。
【０００４】
ところで図４に示す支持脚にあっては、アジャスタボルト４の頭部５を溶接により防振材７の上板９に取り付けて一体に設けてあるため、防水パンを設置面上に設置した後にアジャスタボルト４を回転して防水パン２の高さ調節や水平出しを行う場合にアジャスタボルト４と一体となった防振材７を回転する必要がある。ここで、防振材７は安定してアジャスタボルト４を支持するためにアジャスタボルト４の頭部５よりも面積が大きいものであるので、アジャスタボルト４を回転する際に防振材７の下板１１の下面と設置面との接触抵抗が大きくなり、これにより防水パン設置後の防水パンの高さ調節や水平出しを行う作業が非常に難しくなってしまう。
【０００５】
また、従来の支持脚には図５及び図６に示すようにアジャスタボルト４と防振材７を分離したものがあり、防水パン２を設置する際には、まず図６のように設置面３上の所定位置に防振材７を載置し、この後、図５の矢印に示すように防振材７の上板９の上面に防水パン２に設けたアジャスタボルト４の頭部５を載置する。しかし、このものは図６のように防水パン２を設置する前に設置面２上の所定位置に防振材７を位置決めして載置する必要があり、また、アジャスタボルト４の頭部５を防振材７上に載置する際にはアジャスタボルト４と防振材７を位置合わせする必要があり、施工工数が多く非常に面倒であった。
【特許文献１】特開平７−３２４３６０号公報
【発明の開示】
【発明が解決しようとする課題】
【０００６】
本発明は上記従来の問題点に鑑みてなされたものであって、防水パンの設置面への設置や、防水パンの高さ調節や水平出しを容易に行うことができる防水パンの支持脚を提供することを課題とするものである。
【課題を解決するための手段】
【０００７】
上記課題を解決するために本発明に係る防水パンの支持脚は、防水パン２の下面部に設けたボルト軸螺合部に螺合可能なアジャスタボルト４と、該アジャスタボルト４の頭部５と設置面３の間に介在させる防振材７を備え、防振材７は、アジャスタボルト４の頭部５を載置するための上板９と、上板９の下面に固着した防振用の弾性体１０を備え、防振材７の上板９とアジャスタボルト４の頭部５を着脱自在に連結する連結具８を備えて成ることを特徴とする。この構成により、防水パン２を設置面３に設置する際には連結具８でアジャスタボルト４と防振材７を連結した状態とすることができ、防振材７を設置面３上に位置決めして載置する必要がなく、また、防水パン２の設置時においても防振材７の上板９にアジャスタボルト４の頭部５を位置合わせして載置する必要もない。また、防振材７とアジャスタボルト４を別体とすることで、防水パン２の設置後に防水パン２の高さ調節等を行うためにアジャスタボルト４を回転操作した際に、アジャスタボルト４の頭部５を防振材７の上板９に対して摺動でき、これにより設置面３との接触面積の大きい下板１１を有する防振材７を回転することなくアジャスタボルト４だけを回転することが可能となる。また、防水パン２の設置後において防水パン２の高さ調節等を行う場合、防振材７とアジャスタボルト４から連結具８を取り外すことができ、工具等によりアジャスタボルト４の頭部５を回転操作する際に連結具８が邪魔にならない。
【０００８】
また、請求項２は請求項１において、上記連結具８は断面略横Ｕ字状のクリップ板８ａからなり、該クリップ板８ａの下片部１４に下片部１４の先端縁から開口する下切欠１５を形成すると共に上片部１３に上片部１３の先端縁から開口する上切欠１６を形成し、上記上板９の外周部を弾性体１０よりも外側に突出して被弾接部１２を形成し、前記クリップ板８ａの下切欠１５及び上切欠１６の夫々に防振材７の弾性体１０及びアジャスタボルト４のボルト軸６を挿通し、該クリップ板８ａの上片部１３をアジャスタボルト４の頭部５の上面に弾接すると共に下片部１４を前記上板９の被弾接部１２の下面に弾接することで、防振材７の上板９とアジャスタボルト４の頭部５を着脱自在に連結することを特徴とする。このような構成を有することで、連結具８を単純な形状の断面略横Ｕ字状のクリップ板８ａで形成できる。また、クリップ板８ａを防振材７及びアジャスタボルト４の側方から差し込んだり引き抜いたりするだけで防振材７とアジャスタボルト４の連結及び連結解除を行える。
【０００９】
また、請求項３は請求項２において、上記クリップ板８ａに索１８を取り付けて成ることを特徴とする。この構成により、索１８を引っ張るだけで、防水パン２と設置面３との間の狭い空間に配置されたクリップ板８ａを防振材７及びアジャスタボルト４から取り外すことができる。
【発明の効果】
【００１０】
請求項１に係る発明では、防水パンを設置面に設置する際には連結具でアジャスタボルトと防振材を連結した状態とすることができ、防振材を設置面上に位置決めして載置する必要がなく、また、防水パンの設置時においても防振材の上板にアジャスタボルトの頭部を位置合わせして載置する必要もなく、施工工数が減り、作業も容易になる。また、防振材とアジャスタボルトを別体とすることで、防水パンの設置後に防水パンの高さ調節等を行うためにアジャスタボルトを回転操作した際に、アジャスタボルトの頭部を防振材の上板に対して摺動でき、これにより設置面との接触面積の大きい下板を有する防振材を回転することなくアジャスタボルトだけを回転することが可能となり、防水パンの高さ調節等の作業が容易になる。また、防水パンの設置後において防水パンの高さ調節等を行う場合、防振材とアジャスタボルトから連結具を取り外すことができ、工具等によりアジャスタボルトの頭部を回転操作する際に連結具が邪魔にならず、容易にアジャスタボルトを回転できる。
【００１１】
また請求項２に係る発明では、請求項１に係る発明の効果に加えて、連結具を単純な形状の断面略横Ｕ字状のクリップ板で形成でき、コストを削減できる。また、クリップ板を防振材及びアジャスタボルトの側方から差し込んだり引き抜いたりするだけで防振材とアジャスタボルトの連結及び連結解除が容易に行える。
【００１２】
また請求項３に係る発明では、請求項２に係る発明の効果に加えて、索を引っ張るだけで防水パンと設置面との間の狭い空間に配置されたクリップ板を防振材及びアジャスタボルトから簡単に取り外すことができる。
【発明を実施するための最良の形態】
【００１３】
以下、本発明を添付図面に示す実施形態に基づいて説明する。図３に示すように本実施形態の一例の支持脚１が取り付けられる防水パン２は床スラブ等からなる設置面３上に設置されて浴室の床を構成する。なお、図示例の防水パン２は洗い場を構成する洗い場部２ａと浴槽部２ｂとを一体に設けたものであるが、洗い場部のみを有するものや、洗い場部と浴槽を設置するための浴槽設置部を有するものであっても良い。
【００１４】
支持脚１は防水パン２の下面部に３箇所以上取り付けることで防水パンユニットを構成するもので、図１及び図２に示すようにアジャスタボルト４と、アジャスタボルト４の頭部５と設置面３の間に介在させる防振材７と、これら別体のアジャスタボルト４と防振材７を着脱自在に連結する連結具８で構成してある。
【００１５】
アジャスタボルト４は頭部５から突出したボルト軸６の先部を防水パン２の下面部に設けたボルト軸螺合部に下方から挿入螺合することで頭部５を下端に配置した状態で防水パン２に取り付けられる。なお、図示は省略するが前記ボルト軸螺合部は例えば防水パン２の下面に形成したリブやボスに設けたナット筒等で構成される。
【００１６】
防振材７は、硬質な金属板からなる上板９と、上板９の下面に固着した円柱状のゴムからなる防振用の弾性体１０と、弾性体１０の下面に固着した硬質な金属板からなる下板１１とで構成してあり、上板９の中央部にアジャスタボルト４の頭部５が載置される。上板９は平面視で円形の弾性体１０よりも大きな矩形状（図示例では正方形）に形成してある。弾性体１０は上板９の下面中央部に貼り付けられている。このため上板９の外周部は弾性体１０の外周よりも外側に突出し、この上板９の弾性体１０よりも外側に突出した部分により被弾接部１２を構成している。また、下板１１は平面視でアジャスタボルト４の頭部５よりも大径で且つ弾性体１０と同径の円形に形成してあり、該下板１１の上面に弾性体１０は平面視で下板１１と重複するように貼り付けられている。
【００１７】
連結具８は、金属製の弾性板材を断面略横Ｕ字状に曲げて形成したクリップ板８ａからなる。図２に示すようにクリップ板８ａの下側に位置する水平な下片部１４の幅方向の中央部には下片部１４の先端縁から開口する矩形状の下切欠１５を形成している。また、クリップ板８ａの上側に位置して前記下片部１４に対向する上片部１３はその先端側が斜め上方を向くように横く字状に折り曲げてあり、バネ板状をしている。上片部１３の幅方向の中央部には上片部１３の先端縁から開口する矩形状の上切欠１６を形成している。また、このクリップ板８ａの上片部１３の基端と下片部１４の基端を接続する折曲部分１７の中央部（上切欠１６及び下切欠１５に対応する位置）には充分な長さを有する鋼線等からなる索１８の一端を取り付けてある。
【００１８】
上記支持脚１を用いて防水パン２を設置面３上に設置するには、まず各支持脚１のアジャスタボルト４と防振材７をクリップ板８ａにより連結すると共に、各支持脚１のアジャスタボルト４のボルト軸６の先部をボルト軸螺合部に螺合して防水パン２に取り付ける。なお、クリップ板８ａによるアジャスタボルト４と防振材７の連結は、アジャスタボルト４を防水パン２に取り付けた後に行っても良いし、アジャスタボルト４を防水パン２に取り付ける前に行っても良い。また、アジャスタボルト４のボルト軸６にはボルト軸螺合部に螺合したアジャスタボルト４の回転を防止するためのロックナット１９が予め螺合してある。
【００１９】
上記クリップ板８ａによるアジャスタボルト４と防振材７の連結は、防振材７の上板９の上面にアジャスタボルト４の頭部５の下面を当接し、この後、防振材７及びアジャスタボルト４の側方からクリップ板８ａを図２の矢印ａに示す方向に移動して、クリップ板８ａの上板９と下板１１との間に防振材７の上板９と該上板９の上面に当接したアジャスタボルト４の頭部５を挿入し、クリップ板８ａの下切欠１５及び上切欠１６に夫々の一端開口から防振材７の弾性体１０及びアジャスタボルト４のボルト軸６を挿入する。これにより、クリップ板８ａの下切欠１５及び上切欠１６の夫々には防振材７の弾性体１０及びアジャスタボルト４のボルト軸６が挿通した状態となり、またクリップ板８ａの上片部１３の上切欠１６の両側縁部はアジャスタボルト４の頭部５の上面に弾接すると共に下片部１４の下切欠１５の両外側部分は上板９の被弾接部１２の下面に弾接する。しかして、クリップ板８ａの上片部１３及び下片部１４によって防振材７の上板９と該上板９の上面に当接したアジャスタボルト４の頭部５が弾性的に挟持されて、防振材７の上板９とアジャスタボルト４の頭部５がクリップ板８ａにより連結される。
【００２０】
上記のように各支持脚１を取り付けた防水パン２からなる防水パンユニットは、各アジャスタボルト４に連結された防振材７の下板１１を設置面３上に載置することで設置される。
【００２１】
また、このように防水パン２を設置面３に設置した後に防水パン２の高さ調節や水平出しを行う。防水パン２の高さ調節や水平出しを行うには、例えば防水パン２を設置面３上に設置したままの状態で図２の矢印ｂ方向（矢印ａと反対方向）に索１８を引っ張ってクリップ板８ａをアジャスタボルト４及び防振材７から取り外し、この後、防振材７の上板９に載置したアジャスタボルト４の頭部５を工具で回転し、ボルト軸６のボルト軸螺合部への螺合深さを変更し、防水パン２に対してアジャスタボルト４を上下方向に移動する。
【００２２】
上記支持脚１を利用した防水パン２の設置構造にあっては、防水パン２から垂設した各アジャスタボルト４を弾性体１０を有する防振材７を介して設置するので、防水パン２の振動が設置面３側に伝達することを防止されて防振がなされる。また、防水パン２を設置面３に設置する際にはクリップ板８ａによりアジャスタボルト４と防振材７を連結した状態とすることができるので、従来のように防振材７を設置面３上に位置決めして載置する必要がなく、また、防水パン２の設置時においても防振材７の上板９にアジャスタボルト４の頭部５を位置合わせして載置する必要もなく、施工工数が減り、作業も容易になる。
【００２３】
また、前記防振材７とアジャスタボルト４は別体であるので、防水パン２の設置後に防水パン２の高さ調節等を行うためにアジャスタボルト４を回転操作した際には、アジャスタボルト４の頭部５を防振材７の上板９に対して摺動でき、これにより設置面３との接触面積の大きい下板１１を有する防振材７を回転することなくアジャスタボルト４だけを回転することが可能となり、防水パン２の高さ調節や水平出しを行う作業が容易になる。また、防水パン２の設置後において防水パン２の高さ調節等を行う場合、防振材７とアジャスタボルト４からクリップ板８ａを取り外すことができるので、工具等によりアジャスタボルト４の頭部５を回転操作する際にクリップ板８ａが邪魔にならず、容易にアジャスタボルト４を回転できる。また、このクリップ板８ａを取り外す作業は索１８を引っ張るだけで行うことができ、防水パン２と設置面３との間の狭い空間に配置されたクリップ板８ａを簡単に取り外してクリップ板８ａによる連結の解除を行える。また、このクリップ板８ａは他の防水パン２の支持脚１を構成するクリップ板８ａとして再利用することも可能となり、コストを削減できる。
【図面の簡単な説明】
【００２４】
【図１】本発明の実施形態の一例の防水パンの支持脚の正面図である。
【図２】同上の支持脚のクリップ板によりアジャスタボルト及び防振材を連結する前の状態を示す斜視図である。
【図３】同上の支持脚が取り付けられる防水パンの設置面に設置する前の状態を示す正面図である。
【図４】従来の支持脚の一例を示す斜視図である。
【図５】従来の支持脚の他例を示す斜視図である。
【図６】同上の支持脚が取り付けられる防水パンの設置面に設置する前の状態を示す正面図である。
【符号の説明】
【００２５】
１  支持脚
２  防水パン
４  アジャスタボルト
５  頭部
７  防振材
８  連結具
８ａ  クリップ板
９  上板
１０  弾性体
１４  下片部
１５  下切欠
１６  上切欠
１８  索
【図１】
2009079383.tif 000003
【図２】
2009079383.tif 000004
【図３】
2009079383.tif 000005
【図４】
2009079383.tif 000006
【図５】
2009079383.tif 000007
【図６】
2009079383.tif 000008